(57)【要約】【課題】  機種変更等を容易に行なうことができる一方で保安性が高いスロットマシンの提供を目的としている。【解決手段】  本発明は、遊技を実行するための各種装置が収容される箱体と、この箱体内に設置され且つ複数種類の識別情報を変動表示する複数のリール３Ｌ，３Ｃ，３Ｒを回転可能に支持するリールユニット７０と、遊技処理動作を制御する制御基板１００とを備えたスロットマシンにおいて、制御基板１００がリールユニット７０に対して取り外し可能に装着されるとともに、リールユニット７０と制御基板１００とを取り外し不可能に一体的に取り付けて施錠する第１の施錠手段８０を備えていることを特徴とする。【選択図】図３
2005095460.tif 000002
【特許請求の範囲】
【請求項１】
遊技を実行するための各種装置が収容される箱体と、この箱体内に設置され且つ複数種類の識別情報を変動表示する複数のリールを回転可能に支持するリールユニットと、遊技処理動作を制御する制御基板とを備えたスロットマシンにおいて、
前記制御基板が前記リールユニットに対して取り外し可能に装着されるとともに、前記リールユニットと前記制御基板とを取り外し不可能に一体的に取り付けて施錠する第１の施錠手段を備えていることを特徴とするスロットマシン。
【請求項２】
前記リールユニットと前記箱体とを取り外し不可能に一体的に取り付けて施錠する第２の施錠手段を備えていることを特徴とする請求項１に記載のスロットマシン。
【請求項３】
前記第１の施錠手段が前記第２の施錠手段を兼ねていることを特徴とする請求項２に記載のスロットマシン。
【発明の詳細な説明】
【技術分野】
【０００１】
本発明は、複数種類の識別情報（図柄）を変動表示する複数のリールを備えたスロットマシンに関する。
【背景技術】
【０００２】
一般に、スロットマシンは、遊技を実行するための各種装置、例えば、複数種類の識別情報としての図柄を変動表示するための複数のリールと、遊技処理動作を制御するための制御装置と、賞としての遊技メダルを払い出すためのメダル払出装置（ホッパ）と、これら各装置への給電を行なう電源装置とが、スロットマシン本体としての箱体内に収容されて成る。
【０００３】
前記制御装置は、遊技処理動作全体を制御する主制御基板と、画像表示および音声出力を含む遊技の演出を制御する副制御基板とを備えており、主制御基板から副制御基板に対して各種の画像表示や音声出力等に関するコマンドが送信されるようになっている（例えば、特許文献１参照）。
【０００４】
また、複数の前記リールは、これらのリールを回転駆動させる駆動手段と共に一体的に支持されて１つのリールユニットを構成しており、前記箱体内の所定の空間に設置されている（例えば、特許文献２参照）。
【０００５】
また、前記箱体には、前記リールに描かれた図柄が視認できる前面扉が開閉自在に装着されている。この前面扉には、各リールの回転を一斉に開始させるためのスタートスイッチと、各リールの回転を個別に停止させるための複数のストップボタンと、遊技メダルを投入するためのメダル投入口と、前記箱体のホッパから払い出される遊技メダルを受けるためのトレイとが設けられている。
【０００６】
そして、このような構成のスロットマシンでは、回転するリールをストップボタンによって完全に停止させた状態で、所定の有効ライン上に並ぶ図柄の組合せが入賞態様を構成すると、構成された入賞態様に応じた所定数の遊技メダルが前記メダル払出装置により払い出されてトレイ内に受けられる。
【特許文献１】特開２００３−１９０３７４号公報
【特許文献２】特開２００３−６２１５２号公報。
【発明の開示】
【発明が解決しようとする課題】
【０００７】
ところで、このようなスロットマシンは、一般に、遊技場等において定期的あるいは不定期にその機種が変更される。スロットマシンの機種変更は、機体全体を取り替えることなく、機種に依存するリールユニット、主制御基板、副制御基板等を単に交換するだけで成される場合がある。しかしながら、この場合、主制御基板や副制御基板は、箱体または前面扉に個別に装着されており、また、リールユニットに対しては、主制御基板から各種信号ラインが接続されるととともに、前記電源装置から給電ラインが接続されているため、機種を変更するにあたっては、リール、主基板、副基板等を個別に取り外すとともに、前記各種ラインを取り外す必要があり、その作業だけでも非常に煩雑なものとなる。
【０００８】
このような問題は、リールユニットや基板を簡単にスロットマシン本体側から取り外せるようにするなど、スロットマシン本体に対するリールユニットや基板の取付構造を簡略化することによって解消し得るが、単に取付構造を簡略化するだけでは、保安上の面で問題が生じる場合がある。
【０００９】
すなわち、機種に依存する前記部品のうち、特に主制御基板は、抽選プログラム等を格納する重要な構成要素であるため、これに不正なプログラムが組み込まれないよう、一般に、箱体に対して施錠され、箱体側から容易に取り外せないようになっているが、この保安上の対策を怠り、機種変更の容易化のみを追求すると、大きな損害を被る虞がある。
【００１０】
本発明は、前記事情に着目してなされたものであり、その目的とするところは、機種変更等を容易に行なうことができる一方で保安性が高いスロットマシンを提供することにある。
【課題を解決するための手段】
【００１１】
前記課題を解決するために、請求項１に記載された発明は、遊技を実行するための各種装置が収容される箱体と、この箱体内に設置され且つ複数種類の識別情報を変動表示する複数のリールを回転可能に支持するリールユニットと、遊技処理動作を制御する制御基板とを備えたスロットマシンにおいて、前記制御基板が前記リールユニットに対して取り外し可能に装着されるとともに、前記リールユニットと前記制御基板とを取り外し不可能に一体的に取り付けて施錠する第１の施錠手段を備えていることを特徴とする。
【００１２】
この請求項１に記載された発明によれば、前記制御基板は、前記リールユニットに対して取り外し可能に装着され、リールユニットと一体を成す（各リール共に１つのユニットを形成する）ようになっている。そのため、スロットマシンの機種変更を容易に行なうことができるようになる。すなわち、一般に、スロットマシンの機種変更は、機体全体を取り替えることなく、機種に依存するリールユニット、制御基板（主制御基板や副制御基板）等を単に交換するだけで成される場合があり、そのような場合、リールユニット、制御基板等を個別に交換すると、その交換作業だけでも非常に煩雑なものとなる。したがって、本発明の構成のように、制御基板とリールユニットとが一体を成していれば、リールユニットを交換するだけで、スロットマシンの機種変更が行なえるようになる。
【００１３】
ここで、制御基板とは、遊技処理全体を制御する主制御基板や、主制御基板からコマンドを受けて遊技延出等を制御する副制御基板等を含む。そのため、上記構成では、前記主制御基板および前記副制御基板の両方がリールユニットに取り付けられてこれと一体を成していても良い。その場合、スロットマシンの機種変更を更に簡略化できることは言うまでもない。
【００１４】
また、請求項１に記載された発明によれば、前記リールユニットと前記制御基板とを取り外し不可能に一体的に取り付けて施錠する第１の施錠手段が設けられている。このように、制御基板をリールユニットに対して施錠してリールユニットから容易に取り外せないようにすれば、制御基板に不正なプログラムを組み込むといった行為を未然に防止でき、保安性を高めることができる。特に、抽選プログラム等を格納する重要な構成要素である前記主制御基板と前記リールユニットとを前記第１の施錠手段によってを取り外し不可能に一体的に取り付ければ、保安上、非常に有益である。
【００１５】
また、請求項２に記載された発明は、請求項１に記載された発明において、前記リールユニットと前記箱体とを取り外し不可能に一体的に取り付けて施錠する第２の施錠手段を備えていることを特徴とする。
【００１６】
この請求項２に記載された発明によれば、請求項１に記載された発明と同様の作用効果が得られるとともに、請求項１よりも更に保安性を高めることができる。すなわち、前記第１の施錠手段によって制御基板とリールユニットとを取り外し不可能に施錠しても、リールユニットが箱体側から簡単に取り外されるようになっていれば、制御基板をリールユニットと共に箱体側から取り外して不正なプログラムを組み込むことが可能となる。そのため、請求項２に記載された発明のごとく、前記リールユニットと前記箱体とを取り外し不可能に一体的に取り付けて施錠する第２の施錠手段を更に設ければ、制御基板は、第１の施錠手段によりリールユニットに対し取り外し不可能に一体に取り付けられ、第２の施錠手段により箱体に対して（リールユニットを介して）取り外し不可能に一体に取り付けられるため、保安性が格段に高まる。
【００１７】
また、請求項３に記載された発明は、請求項２に記載された発明において、前記第１の施錠手段が前記第２の施錠手段を兼ねていることを特徴とする。
【００１８】
この請求項３に記載された発明によれば、請求項２に記載された発明と同様の作用効果が得られるとともに、保安性を高めつつ、保安機構を簡略化でき、機種の変更の容易性を維持できる。すなわち、保安性を高めても、それによって構造が複雑になるようでは、リールユニットの取り外しが煩雑（第１および第２の施錠手段による２段階の開施を必要とする）となり、結局のところ、制御基板をリールユニットに設置しても、機種変更を容易にするという目的が損なわれる虞がある。しかしながら、請求項３に記載された発明のように、前記第１の施錠手段が前記第２の施錠手段を兼ねていれば、第１の施錠手段を開錠するだけで、箱体に対するリールユニットの取り外し及びリールユニットに対する制御基板の取り外しを行なうことができ、機種変更作業が非常に簡略化される。なお、箱体側からリールユニットを取り外した段階で、改めて第１の施錠手段を作用させれば、リールユニットに対する制御基板の取り外しが不可能となり、保安性を維持することができる。このことは、特にリールユニットを箱体とは個別に移動させる場合に有益である。
【発明の効果】
【００１９】
以上説明したように、本発明によれば、機種変更等を容易に行なうことができる一方で保安性が高いスロットマシンを提供できる。
【発明を実施するための最良の形態】
【００２０】
以下、図面を参照しながら、本発明の一実施形態について詳細に説明する。
【００２１】
図１は、本実施形態に係るスロットマシン１の斜視図である。図１に示されるように、本実施形態に係るスロットマシン１は、前面に開閉可能な前面扉２を有する箱体３を備えている。前面扉２には、その前面のほぼ中央より上部に、パネル表示部２ａと、液晶表示部２ｂと、固定表示部２ｃとが設けられている。前面扉２の内部（液晶表示部２ｂ背面側）には、３個の回転リール（以下、単にリールと称する）３Ｌ，３Ｃ，３Ｒが回転自在に横一列に配設されており、これら各リール３Ｌ，３Ｃ，３Ｒの外周表面には、複数種類の識別情報としての図柄によって構成される図柄列が描かれている。各リール３Ｌ，３Ｃ，３Ｒに形成された図柄は、矩形の図柄表示領域を通して視認できるようになっており、各リール３Ｌ，３Ｃ，３Ｒは、定速回転（例えば、８０回転／分）可能に構成されている。
【００２２】
パネル表示部２ａ、液晶表示部２ｂ、固定表示部２ｃの下方には、略水平面の台座部４が形成されている。この台座部４の左側には、押しボタン操作によりクレジットされている遊技媒体（以下、メダルという）を賭けるためのＢＥＴスイッチ５ａ〜５ｃが設けられている。台座部４の右側には、メダル投入口６が設けられており、また、台座部４の前面部左寄りには、遊技者がゲームで獲得したメダルのクレジット／払出しを押しボタン操作で切り換えるＣ／Ｐスイッチ（貯留メダル精算スイッチ）７が設けられている。このＣ／Ｐスイッチ７の切り換えにより、正面下部のメダル払出し口８からメダルが払い出され、払い出されたメダルはメダル受け部９に溜められる。
【００２３】
Ｃ／Ｐスイッチ７の右側には、遊技者の操作により各リール３Ｌ，３Ｃ，３Ｒを一斉に回転させ、前記図柄表示領域内での図柄の変動を開始（ゲームを開始）するためのスタートレバー１０が所定の角度範囲で回動自在に取り付けられている。また、台座部４の前面中央部で、スタートレバー１０の右側には、３個のリール３Ｌ，３Ｃ，３Ｒの回転をそれぞれ個別に停止させるための３個の停止ボタン１１Ｌ，１１Ｃ，１１Ｒが設けられている。前面扉２の上方の左右には、スピーカ１２Ｌ,１２Ｒが設けられ、その２台のスピーカ１２Ｌ,１２Ｒの間には、入賞図柄の組合せおよびメダルの配当枚数などを表示する配当表パネル１３が設けられている。
【００２４】
次に、スロットマシン１の遊技の進行を制御する制御装置について簡単に説明する。  
本実施形態のスロットマシン１は、演出効果を高めるために透過型液晶表示装置を組み込んでおり、膨大な画像データに基づいて、液晶表示装置における画像表示を制御すると共に、それに応じて複雑な効果音を発生するための音声データを制御する必要がある。このため、本実施形態の遊技の進行を制御する制御装置は、専ら遊技処理動作を制御する主制御基板と、主制御基板から各種のコマンドを受けて画像表示や音声制御を行なう副制御基板とに分割して構成されている。
【００２５】
図２は、主制御基板の一構成例を示すブロック図である。  
主制御基板１００は、スロットマシン１における遊技処理動作を制御する主制御回路８１を備えている。この主制御回路８１は、回路基板上に配置されたマイクロコンピュータ４０を主たる構成要素とし、これに乱数サンプリングのための回路を加えて構成されている。マイクロコンピュータ４０は、予め設定されたプログラムに従って制御動作を行なうＣＰＵ４１と、記憶手段であるＲＯＭ４２およびＲＡＭ４３とを含む。
【００２６】
ＣＰＵ４１には、基準クロックパルスを発生するクロックパルス発生回路４４および分周器４５と、サンプリングされる乱数を発生する乱数発生器４６およびサンプリング回路４７とが接続されている。なお、乱数サンプリングのための手段として、マイクロコンピュータ４０内で、すなわち、ＣＰＵ４１の動作プログラム上で、乱数サンプリングを実行するように構成しても良い。その場合、乱数発生器４６およびサンプリング回路４７は省略可能であり、或いは、乱数サンプリング動作のバックアップ用として残しておくことも可能である。
【００２７】
マイクロコンピュータ４０のＲＯＭ４２には、スタートレバー１０を操作（スタート操作）する毎に行なわれる乱数サンプリングの判定に用いられる確率抽選テーブル、停止ボタンの操作に応じてリールの停止態様を決定するための停止制御テーブル、副制御基板２００へ送信するための各種制御指令（コマンド）などが格納されている。このコマンドには、例えば、「デモ表示コマンド」、「スタートコマンド」、「停止出目コマンド」、「ボーナス遊技状態変更指示コマンド」、「入賞役コマンド」などがある。なお、副制御基板２００は、主制御回路８１からの制御指令（コマンド）に基づいて、液晶表示部２ｂにおける表示制御およびスピーカ１２Ｌ，１２Ｒからの音の出力制御を行なう。
【００２８】
主制御回路８１には、周辺装置（アクチュエータ）が電気的に接続されている。これらの周辺装置は、マイクロコンピュータ４０からの制御信号により動作が制御されるようになっており、主要な周辺装置としては、各種ランプ（パネル表示部２ａに設けられた１−ＢＥＴランプ１７ａ、２−ＢＥＴランプ１７ｂおよび最大ＢＥＴランプ１７ｃ）、各種表示部（パネル表示部２ａに設けられた払出表示部１８、遊技メダル貯留枚数表示部１９）、メダルを収納し且つメダル払出装置駆動回路５１の命令により所定枚数のメダルを払い出すメダル払出装置５０、リール３Ｌ，３Ｃ，３Ｒを回転駆動するステッピングモータ（駆動手段）５９Ｌ，５９Ｃ，５９Ｒなどがある。
【００２９】
また、ＣＰＵ４１の出力部には、ステッピングモータ５９Ｌ，５９Ｃ，５９Ｒを駆動制御するモータ駆動回路４９と、メダル払出装置５０を駆動制御するメダル払出装置駆動回路５１と、各種ランプを駆動制御するランプ駆動回路５５と、各種表示部を駆動制御する表示部駆動回路５８とがＩ／Ｏポート４８を介して接続されている。これらの駆動回路はそれぞれ、ＣＰＵ４１から出力される駆動指令などの制御信号を受けて、各アクチュエータの動作を制御する。また、マイクロコンピュータ４０が制御指令を発生するために必要な入力信号を発生する主な入力信号発生手段としては、スタートスイッチ１０ａ、１−ＢＥＴスイッチ５ａ、２−ＢＥＴスイッチ５ｂ、最大ＢＥＴスイッチ５ｃ、Ｃ／Ｐスイッチ７、投入メダルセンサ２２Ｓ、リール停止信号回路５６、リール位置検出回路６０、払出完了信号回路６１などがある。これらも、Ｉ／Ｏポート４８を介してＣＰＵ４１に接続されている。
【００３０】
次に、図３を参照しながら、リール３Ｌ,３Ｃ,３Ｒと、ステッピングモータ５９Ｌ，５９Ｃ，５９Ｒと、主制御基板１００とが一体となったリールユニット７０について詳しく説明する。
【００３１】
各リール３Ｌ，３Ｃ，３Ｒは、円筒状のリールドラム７２と、図柄が描かれた透光性を有する長尺なリール帯７３とから成り、リールドラム７２の外周面に沿ってリール帯７３を貼り付けることによって構成されている。リールドラム７２は、同一形状の２つの環状フレーム同士を所定の間隔（リール幅）だけ離間させた状態で複数本の連結部材によって連結することにより形成される。また、リールドラム７２は、その内側に設けられたステッピングモータ５９Ｌ，５９Ｃ，５９Ｒの駆動力を前記環状フレームに伝達する伝達部材を有している。
【００３２】
また、リールドラム７２の内側には、前記図柄表示領域に対応して前面扉２に設けられたリール表示窓７４（図４参照）と対向する位置に、照明手段が設けられている。この照明手段は、ＬＥＤ収納用回路基板から成り、リール３Ｌ，３Ｃ，３Ｒの回転が停止した時にリール表示窓７４に現われるリール帯７３上の縦３列の図柄を裏側から照明する。前記ＬＥＤ収納用回路基板は、リールドラム７２の周方向（回転方向）に沿って縦に配列された３つのＬＥＤ収納部を有しており、これらのＬＥＤ収納部にはそれぞれ、リール表示窓７４に現われる縦３列の図柄をそれぞれ照明する複数のＬＥＤランプが収納されている。
【００３３】
これらのリール３Ｌ,３Ｃ,３Ｒは、対応するステッピングモータ５９Ｌ，５９Ｃ，５９Ｒと共に、支持体としてのフレーム７５に回転可能に収納支持されている。また、フレーム７５には、後述するように、主制御基板１００を取り外し可能に設置できるようになっている。すなわち、本実施形態において、主制御基板１００、リール３Ｌ,３Ｃ,３Ｒ、ステッピングモータ５９Ｌ，５９Ｃ，５９Ｒは、フレーム７５によって一体に支持されることにより、１つのユニット７０を形成するようになっている。
【００３４】
なお、このようなリールユニット７０は、図４に示されるように、前面扉２の液晶表示部２ｂと略対向する箱体３の所定の空間Ｓ内に設置される。具体的には、箱体３の内部空間を上下に仕切るように設けられたミドルボード（載置台）７６上にリールユニット７０が設置される。また、空間Ｓの下側にはメダル払出装置５０が設置され、メダル払出装置５０の下側には、遊技メダル払出カウンタスイッチ７７が設けられている。更に、箱体３の底部の一側には、電源部７８が設けられている。この電源部７８は、内部に電源基板を内蔵し、箱体３内に装着された部品に電力を供給する。
【００３５】
ところで、リール３Ｌ,３Ｃ,３Ｒ、ステッピングモータ５９Ｌ，５９Ｃ，５９Ｒ、主制御基板１００を一体に支持するフレーム７５は、図３に示されるように、ミドルボード７６上に載置される底面７５ａと、主制御基板１００が設置される上面７５ｂと、これら底面７５ａと上面７５ｂとを連結する側面７５ｃ、７５ｄとを有している。上面７５ｂは、主制御基板１００が載置される主面部７９と、主面部７９上からの主制御基板１００の側方への抜けを４方向から規制する４つの側面部８２，８３，８４，８５とを有している。なお、本実施形態において、主制御基板１００は、例えば透明の基板ケース１０１によってカバーされた状態で主面部７９上に載置される。
【００３６】
また、１つの側面部８２には、主面部７９上に載置された基板ケース１０１（基板ケース１０１によってカバーされる主制御基板１００を伴う）の一側縁１０１ａ（図３の（ｂ）参照）の上側を覆って基板ケース１０１（したがって、主制御基板１００）の上方への抜けを防止する抜け防止部８２ａが設けられている。本実施形態では、基板ケース１０１の一側縁１０１ａが凹状に形成されており、この凹状の部分に抜け防止部８２ａが入り込むようになっている。
【００３７】
また、側面部８２と対向する側面部８４には、主制御基板１００をリールユニット７０に対して一体的に取り付けて施錠するロック機構（第１の施錠手段）８０が設けられている。このロック機構８０は、主面部７９上に載置された基板ケース１０１の他側縁１０１ｂの上側を開放可能（図６の（ａ）参照）に覆い、抜け防止部材８２ａと協働して基板ケース１０１（したがって、主制御基板１００）をリールユニット７０から取り外し不可能にする。
【００３８】
図６に詳しく示されるように、ロック機構８０は、側面部８４に一体的に設けられた第１のロック本体部８６と、この第１のロック本体部８６に枢軸８７を介して回動可能に取り付けられた抜け止め施錠部８９とから成る。第１のロック本体部８６は、箱体３側に設けられた後述する第２のロック本体部９０（図４および図７の（ａ）参照）を受けることができる受け部８８を有している。受け部８８は、例えば、基板ケース１０１の側面と、この側面に対向する第１のロック本体部８６の側壁９２とによって規定されており、図７の（ａ）に矢印で示されるように、基板ケース１０１の側面の一端部と側壁９２の一端部との間に形成される開放導入部９１を通じて受け部８８内に第２のロック本体部９０を差し入れることができるようになっている。
【００３９】
また、抜け止め施錠部８９は、略箱型を成しており、第１のロック本体部８６の受け部８８を露出させる開状態（図６の（ａ）の状態）と、施錠可能な閉状態（図６の（ｂ）の状態）との間で、例えば１８０°程度、第１のロック本体部８６に対して回動することができる。また、抜け止め施錠部８９は、その閉状態において主面部７９上に載置された基板ケース１０１の他側縁１０１ｂの上側に位置されて基板ケース１０１の上方への抜けを防止する抜け防止部９５を有している。なお、本実施形態では、基板ケース１０１の他側縁１０１ｂが凹状に形成されており、この凹状の部分に抜け防止部９５が入り込むようになっている。
【００４０】
また、抜け止め施錠部８９は施錠機構を有している。この施錠機構は、抜け止め施錠部８９の天板に形成された鍵穴９９と、この鍵穴９９に差し込まれるキー１１０の回転に伴って回転する回転軸９４と、この回転軸９４に固設された一対の施錠フラップ９３Ａ，９３Ｂとから成る。施錠フラップ９３Ａ，９３Ｂは、回転軸９４の周方向に１８０°の角度間隔をもって離間して対称に配置されており、互いに一直線上に延びている。そして、施錠フラップ９３Ａ，９３Ｂは、キー１１０の操作に伴う回転軸９４の回転により、抜け止め施錠部８９の長手方向に延びる開錠位置（図６の（ａ）の位置）と、抜け止め施錠部８９の長手方向と略直交して延びる施錠位置（図６の（ｂ）の位置）との間で略９０°回動することができる。
【００４１】
なお、第１のロック本体部８６の側壁９２には、施錠フラップ９３Ｂがその施錠位置で係止可能なキー溝９６Ａが形成されている。
【００４２】
また、前述したように、箱体３側には、第１のロック本体部８６の受け部８８に受けられる第２のロック本体部９０が設けられている。この第２のロック本体部９０は、リールユニット７０がミドルボード（載置台）７６上に設置された状態で第１のロック本体部８６の受け部８８に受けられるように、箱体３の前記空間Ｓの一側に固設されている。また、第２のロック本体部９０は、略箱型を成しており、開錠位置における施錠フラップ９３Ａ，９３Ｂおよび回転軸９４の形状と対応する形状を成す開口１１２を有している。したがって、第２のロック本体部９０は、これが第１のロック本体部８６の受け部８８に受けられた状態で、施錠フラップ９３Ａ，９３Ｂをその開錠位置でのみ開口１１２を通じて内部に受け入れることができる。また、第２のロック本体部９０の内部に受け入れられた施錠フラップ９３Ａ，９３Ｂをその位置で施錠位置へと回動させると、第２のロック本体部９０の両側面に形成されたスリット１１３にそれぞれ各施錠フラップ９３Ａ，９３Ｂが入り込む。この場合、スリット１１３は、施錠フラップ９３Ａ，９３Ｂの施錠位置への回動によって施錠フラップ９３Ａ，９３Ｂを最初に受け入れ始める一端部１１３ａの幅が広く形成されるとともに、施錠フラップ９３Ａ，９３Ｂを最後に受け入れる他端部１１３ｂの幅が狭く形成されており、施錠位置へ回動する施錠フラップ９３Ａ，９３Ｂをスムーズに受け入れることができるように形成されている。そのため、第２のロック本体部９０の両側面に形成されるスリット１１３同士は、施錠フラップ９３Ａ，９３Ｂを受け入れ始める端部が逆となるため、一端部１１３ａと他端部１１３ｂとが逆に位置されていることは言うまでもない。
【００４３】
また、このようにして、第２のロック本体部９０の内部に受け入れられた施錠フラップ９３Ａ，９３Ｂをその位置で施錠位置へと回動させ、第２のロック本体部９０の両側面に形成されたスリット１１３にそれぞれ各施錠フラップ９３Ａ，９３Ｂを入り込ませると、第２のロック本体部９０から施錠フラップ９３Ａ，９３Ｂを抜去できなくなる（図７の（ｂ）の状態）。すなわち、リールユニット７０を箱体３から取り外せなくなる。つまり、本実施形態において、ロック機構８０は、第２のロック本体部９０と協働して、リールユニット７０と箱体３とを取り外し不可能に一体的に取り付けて施錠する第２の施錠手段を構成している（第１の施錠手段を構成するロック機構８０が前記第２の施錠手段を兼ねている）と言える。
【００４４】
次に、上記構成の第１および第２の施錠手段を用いた施錠操作について説明する。
【００４５】
まず、リールユニット７０に対して主制御基板１００を一体に取り付けて施錠する場合には、ロック機構８０の抜け止め施錠部８９を開状態にした図６の（ａ）に示される状態で、フレーム７５の上面７５ｂに主制御基板１００を基板ケース１０１と共にセットする。この場合、基板ケース１０１の一側部１０１ａをロック機構８０側から抜け防止部材８２ａの下側に潜り込ませるようにセットする。
【００４６】
このようにして、フレーム７５の上面７５ｂ（主面部７９）上に基板ケース１０１をセットすると、４つの側面部８２，８３，８４，８５により、主面部７９上からの基板ケース１０１の側方への抜けが規制されるとともに、抜け防止部８２ａにより、基板ケース１０１の上方への抜けが片側で防止される。そして、この状態で、施錠フラップ９３Ａ，９３Ｂをその開錠位置に位置させたまま、抜け止め施錠部８９を枢軸８７を介して閉状態へと回動させる。これにより、抜け止め施錠部８９の抜け防止部９５が、主面部７９上に載置された基板ケース１０１の他側縁１０１ｂの上側に位置し、この部位で基板ケース１０１の上方への抜けが防止される。その結果、基板ケース１０１は、抜け防止部８２ａ，９５により、両側で上方への抜けが防止されることになる。
【００４７】
更に、この状態から、鍵穴９９にキー１１０を挿入して９０°回すと、施錠フラップ９３Ａ，９３Ｂが施錠位置へと回動し、施錠フラップ９３Ｂが側壁９２のキー溝９６Ａに係止し、抜け止め施錠部８９の閉状態が保持される（図６の（ｂ）の状態）。すなわち、基板ケース１０１（主制御基板１００）は、リールユニット７０に対して取り外し不可能に一体的に取り付けられて施錠される。なお、リールユニット７０から基板ケース１０１（主制御基板１００）を取り外す場合には、以上の操作の逆を行なえば良い。
【００４８】
また、前述したように基板ケース１０１（主制御基板１００）を設置したリールユニット７０を箱体３に対して一体に取り付けて施錠する場合には、図７の（ａ）に示されるように、ロック機構８０の抜け止め施錠部８９を開状態にしたまま、リールユニット７０を箱体３のミドルボード７６上に載置し、その状態で、第２のロック本体部９０が第１のロック本体部８６の受け部８８に受けられるように位置合わせして、リールユニット７０を空間Ｓ内に押し込む。これにより、基板ケース１０１の側面の一端部と側壁９２の一端部との間に形成される開放導入部９１を通じて第２のロック本体部９０が受け部８８内に差し入れられる。
【００４９】
このようにして、第２のロック本体部９０が受け部８８内に受けられたら、今度は、施錠フラップ９３Ａ，９３Ｂをその開錠位置に位置させたまま、抜け止め施錠部８９を枢軸８７を介して閉状態へと回動させる。この時、前述したように、抜け止め施錠部８９の抜け防止部９５によって基板ケース１０１（主制御基板１００）の上方への抜けが防止されるだけでなく、開錠位置にある施錠フラップ９３Ａ，９３Ｂが開口１１２を通じて第２のロック本体部９０の内部に受け入れられる。そして、この状態で、鍵穴９９にキー１１０を挿入して９０°回し、施錠フラップ９３Ａ，９３Ｂを第２のロック本体部９０の内部で施錠位置へと回動させると、この施錠位置での施錠フラップ９３Ａ，９３Ｂの形状が開口１１２の形状と一致しなくなるとともに、第２のロック本体部９０の両側面に形成されたスリット１１３にそれぞれ各施錠フラップ９３Ａ，９３Ｂが入り込むため、第２のロック本体部９０から施錠フラップ９３Ａ，９３Ｂを抜去できなくなる（図７の（ｂ）の状態）。すなわち、抜け止め施錠部８９の閉状態が保持され、リールユニット７０は、箱体３に対して取り外し不可能に一体的に取り付けられて施錠される（図８の状態）。無論、この時、リールユニット７０に対する基板ケース１０１（主制御基板１００）の施錠も成されることは言うまでもない。
【００５０】
なお、箱体３からリールユニット７０を取り外す場合には、以上の操作の逆を行なえば良い。また、箱体３からリールユニット７０を取り外した状態で、再度、抜け止め施錠部８９を閉状態に保持すれば（ロック機構８０を作用させれば）、前述したように、リールユニット７０に対して主制御基板１００を一体に取り付けて施錠することができる。
【００５１】
以上説明したように、本実施形態のスロットマシン１では、主制御基板１００がリールユニット７０に対して取り外し可能に装着されている。このように、主制御基板１００がリールユニット７０に対して取り外し可能に装着されてリールユニット７０と一体を成すようになっていれば、スロットマシンの機種変更を容易に行なうことができるようになる。すなわち、一般に、スロットマシンの機種変更は、機体全体を取り替えることなく、機種に依存するリールユニット７０や主制御基板１００等を単に交換するだけで成される場合があり、そのような場合、リールユニット７０や主制御基板１００等を個別に交換すると、その交換作業だけでも非常に煩雑なものとなる。したがって、本実施形態のように、主制御基板１００とリールユニット７０とが一体を成していれば、リールユニット７０を交換するだけで、スロットマシンの機種変更が行なえるようになる。
【００５２】
また、本実施形態のスロットマシン１では、リールユニット７０と主制御基板１００とを取り外し不可能に一体的に取り付けて施錠する第１の施錠手段としてのロック機構８０が設けられている。このように、主制御基板１００をリールユニット７０に対して施錠してリールユニット７０から容易に取り外せないようにすれば、主制御基板１００に不正なプログラムを組み込むといった行為を未然に防止でき、保安性を高めることができる。
【００５３】
また、本実施形態のスロットマシン１では、リールユニット７０と箱体３とを取り外し不可能に一体的に取り付けて施錠する第２の施錠手段（ロック機構８０および第２のロック本体部９０）が設けられている。したがって、２重の施錠により更に保安性を高めることができる。すなわち、第１の施錠手段としてのロック機構８０によって主制御基板１００とリールユニット７０とを取り外し不可能に施錠しても、リールユニット７０が箱体３側から簡単に取り外されるようになっていれば、主制御基板１００をリールユニット７０と共に箱体３側から取り外して不正なプログラムを組み込むことが可能となる。そのため、本実施形態のごとく、リールユニット７０と箱体３とを取り外し不可能に一体的に取り付けて施錠する第２の施錠手段を更に設ければ、主制御基板１００は、第１の施錠手段（ロック機構８０）によりリールユニット７０に対し取り外し不可能に一体に取り付けられ、第２の施錠手段（ロック機構８０および第２のロック本体部９０）により箱体３に対して（リールユニット７０を介して）取り外し不可能に一体に取り付けられるため、保安性が格段に高まる。
【００５４】
また、本実施形態のスロットマシン１において、ロック機構８０は、第２のロック本体部９０と協働して、リールユニット７０と箱体３とを取り外し不可能に一体的に取り付けて施錠する第２の施錠手段を構成している。すなわち、第１の施錠手段を構成するロック機構８０が第２の施錠手段を兼ねている。したがって、保安性を高めつつ、保安機構を簡略化でき、機種の変更の容易性を維持できる。すなわち、保安性を高めても、それによって構造が複雑になるようでは、リールユニット７０の取り外しが煩雑（第１および第２の施錠手段による２段階の開施を必要とする）となり、結局のところ、主制御基板１００をリールユニット７０に設置しても、機種変更を容易にするという目的が損なわれる虞がある。しかしながら、本実施形態のように、第１の施錠手段が第２の施錠手段を兼ねていれば、第１の施錠手段を開錠するだけで、箱体３に対するリールユニット７０の取り外し及びリールユニット７０に対する主制御基板１００の取り外しを行なうことができ、機種変更作業が非常に簡略化される。
【００５５】
なお、本発明は、前述した実施形態に限定されず、その要旨を逸脱しない範囲で、種々変形実施できることは言うまでもない。例えば、前述した実施形態では、リールユニット７０に主制御基板１００が取り付けられるようになっているが、主制御基板１００の代わりに或いは主制御基板１００と共に副制御基板２００がリールユニット７０に取り付けられていても良い。特に、主制御基板１００と副制御基板２００の両者がリールユニット７０に設置されていれば、両基板１００，２００をユニット単位で交換できるため、スロットマシン１の機種変更を更に簡略化できる。また、前述した実施形態では、ロック機構がフレーム７５に設けられているが、主制御基板１００側にロック機構が設けられていても構わない。また、本発明は、前述した実施形態で説明したようなスロットマシンの他、パチンコ遊技機などの他の遊技機にも適用することができる。
【産業上の利用可能性】
【００５６】
本発明は、回転するリールを伴うスロットマシン、パチンコ機といったあらゆる遊技機に適用できる。
【図面の簡単な説明】
【００５７】
【図１】本発明の一実施形態に係るスロットマシンの斜視図である。
【図２】図１のスロットマシンの遊技動作を制御するメイン制御基板の構成を示すブロック図である。
【図３】本発明の一実施形態に係るリールユニットの斜視図である。
【図４】箱体内部の概略構成図である。
【図５】主制御基板の平面図である。
【図６】リールユニットと主制御基板との間での施錠形態を示し、（ａ）は抜け止め施錠部が閉状態に位置するロック機構の拡大斜視図、（ｂ）は抜け止め施錠部が開状態に位置するロック機構の拡大斜視図である。
【図７】リールユニットと箱体との間での施錠形態を示し、（ａ）は抜け止め施錠部が閉状態に位置するロック機構の拡大斜視図、（ｂ）は抜け止め施錠部が開状態に位置するロック機構の拡大斜視図である。
【図８】リールユニットが箱体に対して一体に取り付けられて施錠された状態を示す斜視図である。
【符号の説明】
【００５８】
１    スロットマシン
２    前面扉
３    箱体
３Ｌ，３Ｃ，３Ｒ    回転リール
１００    主制御基板（制御基板）
２００    副制御基板（制御基板）
７０    リールユニット
８０    ロック機構（第１の施錠手段、第２の施錠手段）
【図１】
2005095460.tif 000003
【図２】
2005095460.tif 000004
【図３】
2005095460.tif 000005
【図４】
2005095460.tif 000006
【図５】
2005095460.tif 000007
【図６】
2005095460.tif 000008
【図７】
2005095460.tif 000009
【図８】
2005095460.tif 000010